(57)【要約】【課題】建物ユニットに対する階段設置態様の自由度を高め、ユーザのニーズに好適に応える。【解決手段】階段ユニット２０は、複数の踏板２１と、その複数の踏板２１の両端部を支持するささら桁２２と、各踏板２１間に設けられる蹴込み板２３と、折り返し内側部に設けられる中間壁２４と、階段上り口及び階段下り口を含む側面を除く三つの側面に設けられる間仕切り壁２５とから構成されている。踏板２１は１階床面から２階床面にかけて１５段分設けられ、そのうち折り返し部には踏板２１が４段分設けられている。本構成の階段ユニット２０では特に、その平面視形状が建物ユニット１０の妻面の横方向寸法と同じ幅を有する正方形状をなしている。つまり、階段ユニット２０において間仕切り壁２５の互いに直交する２つの辺の長さＬ１，Ｌ２はいずれも等しく（Ｌ１＝Ｌ２）、さらに同長さＬ１，Ｌ２は建物ユニット１０の短辺寸法に等しくなっている。【選択図】      図１
2008196136.tif 000002
【特許請求の範囲】
【請求項１】
複数の梁材及び柱材よりなる直方体状の建物ユニットに組み付けられる建物ユニット用階段において、
複数の踏板が当該階段の略中央高さ位置で折り返して配置され、かつ平面視形状が前記建物ユニットの妻面の横方向寸法と略同じ幅を有する正方形状をなしていることを特徴とする建物ユニット用階段。
【請求項２】
前記複数の踏板と各踏板間に設けられる蹴込み板とを含んでなる階段本体を、階段上り口及び階段下り口を含む側面以外の各側面で間仕切り壁により囲んだ建物ユニット用階段であって、
前記間仕切り壁において互いに直交する２辺の横幅寸法をいずれも同一とした請求項１に記載の建物ユニット用階段。
【請求項３】
所定の高さ寸法よりなる第１の建物ユニットと、その第１の建物ユニットよりも大きい高さ寸法よりなる第２の建物ユニットとに用いられる建物ユニット用階段であって、
前記第１の建物ユニットを基準にして構成される階段ユニットと、
前記階段ユニットを前記第２の建物ユニットに設置した場合に不足となる不足段数を追加するべく前記階段ユニットの下方に設置される段数追加手段と、
を備えてなる請求項１又は２に記載の建物ユニット用階段。
【請求項４】
前記段数追加手段として、平面面積が前記階段ユニットの平面投影面積と同じでかつ高さが前記不足段数の高さと同じ本体部と、その本体部において前記階段ユニットの上り口となる位置に設けられ、前記不足段数を補うための踏板を有する追加踏板部とを備える底上げユニットを用いた請求項３に記載の建物ユニット用階段。
【請求項５】
前記本体部には、その側面部に設けられた開口部を通じて出し入れ可能な引き出しが設けられている請求項４に記載の建物ユニット用階段。
【請求項６】
前記引き出しには、その引き手側端部に前記追加踏板部が一体に設けられている請求項５に記載の建物ユニット用階段。
【請求項７】
前記第２の建物ユニットを用い、同第２の建物ユニットに、請求項４乃至６のいずれか一項に記載の建物ユニット用階段が組み付けられてなるユニット式建物であって、
前記底上げユニットを、工場にてあらかじめ前記第２の建物ユニットに固定したユニット式建物。
【請求項８】
前記段数追加手段として、前記階段ユニットの底部に設けられる底上げ用のゲタ材と、前記階段ユニットの上り口となる位置に設けられ、前記不足段数の踏板を有する追加踏板部とを用いた請求項３に記載の建物ユニット用階段。
【請求項９】
前記第２の建物ユニットを用い、同第２の建物ユニットに、請求項８に記載の建物ユニット用階段が組み付けられてなるユニット式建物であって、
前記ゲタ材を、工場にてあらかじめ前記第２の建物ユニットに固定したユニット式建物。
【請求項１０】
前記第２の建物ユニットを用い、同第２の建物ユニットに、請求項３に記載の建物ユニット用階段が組み付けられてなるユニット式建物であって、
前記階段ユニットを、前記不足段数分の高さだけ床面から浮かした状態でその周囲の建物構造材に固定するとともに、同階段ユニットの上り口となる位置に、前記段数追加手段として、前記不足段数を補うための踏板を有する追加踏板部を設置したユニット式建物。
【発明の詳細な説明】
【技術分野】
【０００１】
本発明は、複数の梁材及び柱材よりなる直方体状の建物ユニットに組み付けられる建物ユニット用階段、及びユニット式建物に関するものである。
【背景技術】
【０００２】
複数の建物ユニットを互いに連結して構築されるユニット式建物において、いずれかの建物ユニットに階段が設置される場合、その設計プランとして妻面上りとするか桁面上りとするかが決定され、その決定された向きにて階段が設置される。この場合、階段において上り方向に要する長さ寸法は段数や傾斜角度に応じて決まり、仮にその長さ寸法が建物ユニットの妻面長さよりも大きければ、必然的に妻面上りの設置とされるようになっていた。ユニット式建物における階段構造に関して例えば特許文献１の技術が開示されている。
【特許文献１】特許第２９６３５０７号公報
【発明の開示】
【発明が解決しようとする課題】
【０００３】
近年では、ユニット式建物のような工業化住宅においてユーザの間取り等に対するニーズが益々多様化する傾向にあり、例えば妻面上りを前提とした建物であっても、事後的に桁面上りに変更するといったニーズも生じている。この点、特許文献１を含む従来技術では、事後的に階段の設置の向きを変更したりすることが困難であり、設計プランに制約が生じるといった不都合が考えられる。それ故に、改善の余地があると考えられる。
【０００４】
本発明は、建物ユニットに対する階段設置態様の自由度を高め、ユーザのニーズに好適に応えることができる建物ユニット用階段、及びユニット式建物を提供することを主たる目的とするものである。
【課題を解決するための手段】
【０００５】
以下、上記課題を解決するのに有効な手段等につき、必要に応じて作用、効果等を示しつつ説明する。なお以下では、理解を容易にするため、発明の実施形態において対応する構成例を括弧書き等で適宜示すが、この括弧書き等で示した具体的構成に限定されるものではない。
【０００６】
手段１．複数の梁材（天井大梁１２、床大梁１３）及び柱材（柱１１）よりなる直方体状の建物ユニット（建物ユニット１０）に組み付けられる建物ユニット用階段において、複数の踏板（踏板２１）が当該階段の略中央高さ位置で折り返して配置され、かつ平面視形状が前記建物ユニットの妻面の横方向寸法（短辺寸法）と略同じ幅を有する正方形状をなしていることを特徴とする。
【０００７】
上記構成によれば、建物ユニット用階段の側面部において水平方向で直交する２方向の各寸法が、いずれも略同じで、かつ建物ユニットの妻面の横方向寸法（短辺寸法）と略同じものとなっている。したがって、建物ユニットに対して建物ユニット用階段を設置する際、階段上り口を建物ユニットの桁面、妻面のいずれにすることも可能となる。つまり、同じ構成の建物ユニット用階段を用い、自由な設計プランを立てることが可能となる。その結果、建物ユニットに対する階段設置態様の自由度を高め、ユーザのニーズに好適に応えることができることとなる。
【０００８】
手段２．手段１において、前記複数の踏板（踏板２１）と各踏板間に設けられる蹴込み板（蹴込み板２３）とを含んでなる階段本体を、階段上り口及び階段下り口を含む側面以外の各側面で間仕切り壁（間仕切り壁２５）により囲んだ建物ユニット用階段であって、前記間仕切り壁において互いに直交する２辺の横幅寸法をいずれも同一にしたことを特徴とする。階段の周囲部分に間仕切り壁が設けられる場合、その間仕切り壁により階段の大きさが規定される。この場合、間仕切り壁において互いに直交する２辺の横幅寸法をいずれも同一にすることで、平面視形状が正方形状をなす階段が実現できる。
【０００９】
手段３．手段１又は２において、所定の高さ寸法よりなる第１の建物ユニット（標準ユニット１０Ａ）と、その第１の建物ユニットよりも大きい高さ寸法よりなる第２の建物ユニット（ハイユニット１０Ｂ）とに用いられる建物ユニット用階段であって、前記第１の建物ユニットを基準にして構成される階段ユニット（階段ユニット２０）と、前記階段ユニットを前記第２の建物ユニットに設置した場合に不足となる不足段数を追加するべく前記階段ユニットの下方に設置される段数追加手段（底上げユニット３０等）と、を備えてなることを特徴とする。
【００１０】
要するに、第１の建物ユニットと第２の建物ユニットとを比較すると、その高さが相違し、同じ建物ユニット用階段を使うとすれば、第１の建物ユニットにおいて段数が多すぎることになるか、又は第２の建物ユニットにおいて段数が不足する。この点上記構成によれば、第１の建物ユニットについては、階段ユニットを使うことで丁度の段数（高さ）の階段が設置できる。また、第２の建物ユニットについては、階段ユニットと段数追加手段とを使うことで丁度の段数（高さ）の階段が設置できる。
【００１１】
手段４．手段３において、前記段数追加手段として、平面面積が前記階段ユニットの平面投影面積と同じでかつ高さが前記不足段数の高さと同じ本体部（ユニット本体３１）と、その本体部において前記階段ユニットの上り口となる位置に設けられ、前記不足段数を補うための踏板を有する追加踏板部（補助ステップ３２ｂ）とを備える底上げユニット（底上げユニット３０）を用いることを特徴とする。本構成では、本体部によって階段ユニットが安定した状態で底上げできる。また、本体部に追加踏板部が設けられているため、不足段数の追加が容易に実現できる。
【００１２】
手段５．手段４において、前記本体部には、その側面部に設けられた開口部（開口部３１ｃ）を通じて出し入れ可能な引き出し（引き出し３２，３３）が設けられている。この場合、底上げユニットにおいて本体部の内部空間を収納スペースとして好適に利用することができる。ここで、前記引き出しにおいて、その引き手側端部に前記追加踏板部が一体に設けられていてもよい（手段６）。
【００１３】
手段７．前記第２の建物ユニットを用い、同第２の建物ユニットに、手段４乃至６のいずれかに記載の建物ユニット用階段が組み付けられてなるユニット式建物であって、前記底上げユニットを、工場にてあらかじめ前記第２の建物ユニットに固定したことを特徴とする。この場合、建物の施工現場における作業負担を軽減できる。ただし、底上げユニットが、本体部から出し入れ可能な引き出しを有する構成では、その引き出しについては建物の施工現場にて取り付けられるとよい。
【００１４】
手段８．手段３において、前記段数追加手段として、前記階段ユニットの底部（例えば、中間壁２４の底部）に設けられる底上げ用のゲタ材（ゲタ材４１）と、前記階段ユニットの上り口となる位置に設けられ、前記不足段数の踏板を有する追加踏板部（追加階段４２）とを用いたことを特徴とする。本構成では、ゲタ材によって階段ユニットが安定した状態で底上げできる。また、追加踏板部を設けることによって、不足段数の追加が容易に実現できる。
【００１５】
手段９．前記第２の建物ユニットを用い、同第２の建物ユニットに、手段８に記載の建物ユニット用階段が組み付けられてなるユニット式建物であって、前記ゲタ材を、工場にてあらかじめ前記第２の建物ユニットに固定したことを特徴とする。この場合、建物の施工現場における作業負担を軽減できる。
【００１６】
手段１０．前記第２の建物ユニットを用い、同第２の建物ユニットに、手段３に記載の建物ユニット用階段が組み付けられてなるユニット式建物であって、前記階段ユニットを、前記不足段数分の高さだけ床面から浮かした状態でその周囲の建物構造材に固定するとともに、同階段ユニットの上り口となる位置に、前記段数追加手段として、前記不足段数を補うための踏板を有する追加踏板部（追加階段５１）を固定したことを特徴とする。本構成においても、不足段数の追加が容易に実現できる。また、建物の施工現場における作業負担を軽減できる。
【００１７】
以下に、本明細書の開示範囲内において上記以外に抽出可能な技術的思想を記載する。なお、以下の各技術的思想については、上述した各手段（発明）と作用効果が重複するためその説明を割愛する。
【００１８】
（１）所定の高さ寸法よりなる第１の建物ユニット（標準ユニット１０Ａ）と、その第１の建物ユニットよりも大きい高さ寸法よりなる第２の建物ユニット（ハイユニット１０Ｂ）とに用いられる建物ユニット用階段であって、前記第１の建物ユニットを基準にして構成される階段ユニット（階段ユニット２０）と、前記階段ユニットを前記第２の建物ユニットに設置した場合に不足となる不足段数を追加するべく前記階段ユニットの下方に設置される段数追加手段（底上げユニット３０等）と、を備えてなる建物ユニット用階段。
【００１９】
（２）前記（１）において、前記段数追加手段として、平面面積が前記階段ユニットの平面投影面積と同じでかつ高さが前記不足段数の高さと同じ本体部（ユニット本体３１）と、その本体部において前記階段ユニットの上り口となる位置に設けられ、前記不足段数を補うための踏板を有する追加踏板部（補助ステップ３２ｂ）とを備える底上げユニット（底上げユニット３０）を用いた建物ユニット用階段。
【００２０】
（３）前記（２）において、前記本体部には、その側面部に設けられた開口部（開口部３１ｃ）を通じて出し入れ可能な引き出し（引き出し３２，３３）が設けられている建物ユニット用階段。
【００２１】
（４）前記（３）において、前記引き出しにおいて、その引き手側端部に前記追加踏板部が一体に設けられている建物ユニット用階段。
【００２２】
（５）前記第２の建物ユニットを用い、同第２の建物ユニットに、前記（２）乃至（４）のいずれかに記載の建物ユニット用階段が組み付けられてなるユニット式建物であって、前記底上げユニットを、工場にてあらかじめ前記第２の建物ユニットに固定した建物ユニット用階段。
【００２３】
（６）前記（１）において、前記段数追加手段として、前記階段ユニットの底部（例えば、中間壁２４の底部）に設けられる底上げ用のゲタ材（ゲタ材４１）と、前記階段ユニットの上り口となる位置に設けられ、前記不足段数の踏板を有する追加踏板部（追加階段４２）とを用いた建物ユニット用階段。
【００２４】
（７）前記第２の建物ユニットを用い、同第２の建物ユニットに、前記（６）に記載の建物ユニット用階段が組み付けられてなるユニット式建物であって、前記ゲタ材を、工場にてあらかじめ前記第２の建物ユニットに固定した建物ユニット用階段。
【００２５】
（８）前記第２の建物ユニットを用い、同第２の建物ユニットに、前記（１）に記載の建物ユニット用階段が組み付けられてなるユニット式建物であって、前記階段ユニットを、前記不足段数分の高さだけ床面から浮かした状態でその周囲の建物構造材に固定するとともに、同階段ユニットの上り口となる位置に、前記段数追加手段として、前記不足段数を補うための踏板を有する追加踏板部（追加階段５１）を設置した建物ユニット用階段。
【発明を実施するための最良の形態】
【００２６】
以下、本発明を具体化した一実施形態を図面に基づいて説明する。本実施形態では、鉄骨ラーメンユニット工法にて構築される２階建てユニット式建物に具体化しており、当該ユニット式建物に使用される複数の建物ユニットは、工場にてあらかじめ生産され、その後、建物施工現場にトラック等により運搬されて建物ユニット同士が連結、組み付けられるものとなっている。図４には、当該ユニット式建物に用いられる建物ユニット１０の構成を示す。
【００２７】
図４に示すように、建物ユニット１０において、その四隅には柱１１が配され、各柱１１の上端部及び下端部がそれぞれ４本の天井大梁１２、床大梁１３により連結されている。そして、それら柱１１、天井大梁１２及び床大梁１３により直方体状の骨格（フレーム）が形成されている。柱１１は四角筒状の角形鋼よりなる。また、天井大梁１２及び床大梁１３は断面コ字状の溝形鋼よりなり、その開口部が向き合うようにして設置されている。
【００２８】
建物ユニット１０の長辺部の相対する天井大梁１２の間には、所定間隔で複数の天井小梁１５が架け渡されている。同じく建物ユニット１０の長辺部の相対する床大梁１３の間には、所定間隔で複数の床小梁１６が架け渡されている。天井小梁１５と床小梁１６とはそれぞれ同間隔でかつ各々上下に対応する位置に水平に設けられている。図示は略すが、天井小梁１５によって天井面材が支持され、床小梁１６によって床面材が支持されるようになっている。
【００２９】
また、図３は、ユニット式建物の一階部分における建物ユニット１０の配置を示す平面図である。図３において、複数の建物ユニット１０のうち１つの建物ユニットには階段ユニット２０が組み付けられている。階段ユニット２０は、中央高さ部分の折り返し部にて１８０°折り返された、いわゆる折り返し階段（Ｕ型階段ともいう）にて構成されている。
【００３０】
次に、階段ユニット２０の構成を図１により説明する。図１において（ａ）は階段ユニット２０の平面図、（ｂ）は階段ユニット２０の側面図である（ただし、（ｂ）では周囲の間仕切り壁を省略している）。なお、図中のＳＬは、１階ユニットと２階ユニットとの組み付けライン（スタッキングライン）を示している。
【００３１】
図１に示すように、階段ユニット２０は、所定の蹴上げ寸法（約２００ｍｍ）で設けられる複数の踏板２１と、その複数の踏板２１の両端部を支持するささら桁（階段側板）２２と、各踏板２１間に設けられる蹴込み板２３と、折り返し内側部に設けられる中間壁２４と、階段上り口及び階段下り口を含む側面を除く三つの側面に設けられる間仕切り壁２５とから構成されている。なお、ささら桁２１、踏板２２、蹴込み板２３及び中間壁２４により階段本体が構成されており、その階段本体を囲むようにして三方（すなわち、階段上り口及び階段下り口を除く三方）に間仕切り壁２５が設けられている。
【００３２】
踏板２１は１階床面から２階床面にかけて１５段分設けられ、そのうち折り返し部には踏板２１が４段分設けられている。折り返し部の４段の踏板２１においては、その縁部が所定の割り付け角度（平面視の縁部角度）で斜め向きとなっている。中間壁２４には、階段上り角度と同じ角度で斜めに手摺り棒２６が設けられている。
【００３３】
上記構成の階段ユニット２０では特に、その平面視形状が建物ユニット１０の妻面の横方向寸法と同じ幅を有する正方形状をなしている。つまり、階段ユニット２０において間仕切り壁２５の互いに直交する２つの辺の長さＬ１，Ｌ２はいずれも等しく（Ｌ１＝Ｌ２）、さらに同長さＬ１，Ｌ２は建物ユニット１０の短辺寸法に等しくなっている。
【００３４】
図２において、（ａ）には建物ユニット１０に対して階段ユニット２０を桁面上りとして設置した状態を示し、（ｂ）には建物ユニット１０に対して階段ユニット２０を妻面上りとして設置した状態を示す。かかる場合、同一の階段ユニット２０を用いても、それを９０°回転させて設置することで桁面上り構造及び妻面上り構造がいずれも実現できるようになっている。
【００３５】
ところで、ユニット式建物においては、高さ寸法が異なる複数種の建物ユニットが設定されていることがあり、ユーザ等の要望によりいずれの高さの建物ユニットを使うかが適宜選択される。以下には、高さ寸法が異なる複数種の建物ユニットについて共通の階段ユニット２０を適用可能とするための構成について説明する。なおここでは、標準の高さ寸法（例えば室内高さ２４００ｍｍ）よりなる建物ユニットと、その標準的な建物ユニットよりも大きい高さ寸法（例えば室内高さ２６００ｍｍ）よりなる建物ユニットとを想定し、以下の説明では前者を「標準ユニット１０Ａ」、後者を「ハイユニット１０Ｂ」と称する。
【００３６】
次に、ハイユニット１０Ｂに階段ユニット２０を設置した場合の施工例を図５を用いて説明する。なお図５では、ハイユニット１０Ｂに階段ユニット２０を設置した場合の施工例を（ａ）に示し、（ｂ）には、標準ユニット１０Ａとの高さの違い等を明示すべく、標準ユニット１０Ａの構成（前述の図１と同様）を対比表示している。
【００３７】
ハイユニット１０Ｂの場合、標準ユニット１０Ａに対して２００ｍｍほど室内高さが大きいため、階段ユニット２０を設置した場合に１段分の段数が不足する。そのため、階段ユニット２０の下方には、不足段数を追加するべく段数追加手段としての底上げユニット３０が設置されている。この場合、折り返し部よりも下方の段数が１段増えることで、１階床面から２階床面にかけて１６段分の踏板が設けられている。
【００３８】
図６は底上げユニット３０の構成を示す斜視図であり、（ａ）には底上げユニット３０の全体を示し、（ｂ）には底上げユニット３０の内部構造（天板３１ｂを外した状態）を示している。
【００３９】
底上げユニット３０は、階段ユニット２０と同じ平面投影面積を有するユニット本体３１と、そのユニット本体３１内に出し入れ可能に設けられる左右一対の引き出し３２，３３と、それら両引き出し３２，３３間の中間スペースに設けられる補強材３４とを備えている。
【００４０】
ユニット本体３１は、階段ユニット２０と同じ平面投影面積にて枠状に形成される枠体部３１ａを有しており、その枠体部３１ａの上面に天板部３１ｂが設置固定されている。すなわち、ユニット本体３１も階段ユニット２０と同様、その平面視形状が正方形状をなすものとなっている。枠体部３１ａは手前側（階段ユニット２０の上り口側に相当）が開口されており、その開口部３１ｃを通じて引き出し３２，３３が出し入れ可能となっている。ユニット本体３１の高さ寸法は、標準ユニット１０Ａとハイユニット１０Ｂとの室内高さの差（ハイユニット１０Ｂにおいて階段ユニット２０の不足段数分の高さ）と同じ寸法となっている。
【００４１】
左右一対の引き出し３２，３３は、その出し入れ方向における長さ寸法が異なるものとなっており、図の左側の引き出し３２は、それをユニット本体３１の最奥部まで押し込んだ場合に一部がユニット本体３１よりも手前側に突出した状態となるのに対し、図の右側の引き出し３３は、それをユニット本体３１の最奥部まで押し込んだ場合にユニット本体３１の手前側に突出しないようになっている。
【００４２】
詳しくは、図の左側の引き出し３２は、上方が開放された直方体形状をなす収納箱部３２ａを有しており、その手前側端部には補助ステップ３２ｂが取り付けられている。収納箱部３２ａの長さ（引き出し３２の出し入れ方向の長さ）はユニット本体３１内における同方向に等しくなっている。補助ステップ３２ｂの上部には補助踏板３２ｃが取り付けられている。補助踏板３２ｃは、階段ユニット２０側の各踏板２１と同材質かつ、同サイズ、同色で形成されており、階段ユニット２０の下方に底上げユニット３０を設置した場合に、両ユニット２０，３０の各踏板２１，３２ｃについて大きさや質感が統一されるようになっている。その他、補助ステップ３２ｂの手前側側面には引手部３２ｄが設けられている。収納箱部３２ａの底部には複数の車輪３２ｅが設けられている。
【００４３】
また、図の右側の引き出し３３は、上方が開放された直方体形状をなす収納箱部３３ａを有しており、その手前側端部には前面板３３ｂが取り付けられている。収納箱部３３ａの長さ（引き出し３３の出し入れ方向の長さ）はユニット本体３１内における同方向に等しくなっている。その他、前面板３３ｂの手前側側面には引手部３３ｃが設けられている。収納箱部３３ａの底部には複数の車輪３３ｄが設けられている。
【００４４】
図示は略すが、引き出し３２，３３には、その引き出し動作を規制するためのロック機構が設けられており、このロック機構をロック状態とすることで、引き出し３２，３３が引き出し不可となる構成となっている。
【００４５】
補強材３４は、例えば複数の木材片を互いに連結して立体枠状に構成されており、両引き出し３２，３３の間の隙間スペースに沿って延設されている。補強材３４は、階段ユニット２０の下方に底上げユニット３０を設置した場合に階段ユニット２０の中間壁２４の下方に位置するよう設けられており、中間壁２４から加わる荷重が補強材３４により支えられるようになっている。なお、図示の構成では、補強材３４の長さはユニット本体３１の長さ（引き出し３２，３３の出し入れ方向の長さ）よりも短いものとなっているが、ユニット本体３１と同じ長さで構成されていてもよい。また、複数分割された補強材３４を用いることも可能である。
【００４６】
図５の説明に戻り、ハイユニット１０Ｂ（図５（ａ））において、階段ユニット２０の下方に底上げユニット３０を設置した状態では、底上げユニット３０による段数の追加分だけ最上の踏板位置が高くなり、階段ユニット２０の最上段（１６段目）と２階部分の床面との高さが一致するようになっている。またこの状態では、底上げユニット３０の補助ステップ３２ｂが階段ユニット２０の上り口となる位置に設けられ、補助踏板３２ｃが１段目の踏板となっている。
【００４７】
ハイユニット１０Ｂに階段が組み付けられる場合には、住宅メーカ等の工場において底上げユニット３０があらかじめハイユニット１０Ｂに固定される。ただし、引き出し３２，３３についてはユニット本体３１から引き出された状態で運搬され、建物の施工現場にて取り付けられるとよい。
【００４８】
以上詳述した本実施形態によれば、以下の優れた効果が得られる。
【００４９】
建物ユニット１０に組み付けられる階段ユニット２０として、平面視形状が建物ユニット１０の妻面の横方向寸法（短辺寸法）と同じ幅を有する正方形状をなす構成を採用した。具体的には、階段ユニット２０において間仕切り壁２５の互いに直交する２つの辺の長さＬ１，Ｌ２がいずれも等しく、さらに同長さＬ１，Ｌ２が建物ユニット１０の短辺寸法に等しい構成とした。したがって、建物ユニット１０に対して階段ユニット２０を設置する際、階段上り口を建物ユニット１０の桁面、妻面のいずれにすることも可能となる。つまり、同じ構成の階段ユニット２０を用い、自由な設計プランを立てることが可能となる。その結果、建物ユニット１０に対する階段設置態様の自由度を高め、ユーザのニーズに好適に応えることができることとなる。
【００５０】
なおこの場合、建物ユニット１０に階段ユニット２０を固定した状態で、その階段ユニット２０が建物ユニット１０からはみ出さない。そのため、住宅メーカ等における工場において階段ユニット２０をあらかじめ建物ユニット１０に固定し、その状態で施工現場等へ運搬することが可能となっている。
【００５１】
また、標準ユニット１０Ａを基準にして構成された階段ユニット２０をハイユニット１０Ｂに設置する場合に、階段ユニット２０の下方に底上げユニット３０を設置する構成としたため、階段ユニット２０をハイユニット１０Ｂに設置する場合に生じる不足段数を簡易に補うことができる。これにより、ハイユニット１０Ｂにおいても、標準ユニット１０Ａと共通の階段ユニット２０を用いつつ、丁度の段数（高さ）の階段が設置できる。
【００５２】
底上げユニット３０によれば、階段ユニット２０と同じ平面投影面積を有するユニット本体３１によって階段ユニット２０が安定した状態で底上げできる。また、ユニット本体３１には追加踏板部としての補助ステップ３２ｂが設けられているため、不足段数の追加が容易に実現できる。
【００５３】
ユニット本体３１に２つの引き出し３２，３３を設けたため、ユニット本体３１の内部空間を収納スペースとして好適に利用することができる。
【００５４】
ハイユニット１０Ｂを用いて構築されるユニット式建物では、当該ハイユニット１０Ｂに建物ユニット用階段が組み付けられる場合において、工場にてハイユニット１０Ｂに底上げユニット３０が固定されるため、建物の施工現場における作業負担を軽減できる。
【００５５】
ここで、補助ステップ３２ｂは引き出し３２に一体に設けられ、ユニット本体３１から引き出し３２と共に取り外し可能となっている。したがって、建物ユニット１０にユニット本体３１を設置した後に引き出し３２をユニット本体３１から外しておけば建物ユニット１０から階段の一部がはみ出すことはなく、階段のはみ出し部分が運搬時等の邪魔になるといった不都合が回避できる。
【００５６】
本発明は上記実施形態の記載内容に限定されず、例えば次のように実施されてもよい。
【００５７】
上記実施形態では、階段ユニット２０の下方に底上げユニット３０を設置することで、ハイユニット１０Ｂにおける不足段数を補う構成としたが、これを図７に示す構成に変更することも可能である。図７において、（ａ），（ｂ）にはそれぞれハイユニット１０Ｂに階段ユニット２０を設置した場合の施工例を示す。
【００５８】
図７（ａ）では、階段ユニット２０の下方に、段数追加手段としてゲタ材４１と追加階段４２とが設けられている。ゲタ材４１は、標準ユニット１０Ａとハイユニット１０Ｂとの室内高さの差（ハイユニット１０Ｂにおいて階段ユニット２０の不足段数分の高さ）と同じ高さを有するものであり、中間壁２４の底部（図の斜線部）に固定されている。また、追加階段４２は、ゲタ材４１と同じ高さを有し、その上面には１段分の踏板４２ａが取り付けられている。追加階段４２は、階段ユニット２０の上り口となる位置に設けられている。本構成では、ゲタ材４１によって階段ユニット２０が安定した状態で底上げできる。また、追加階段４２を設けることによって、不足段数を容易に補うことができる。
【００５９】
上記図７（ａ）の場合、住宅メーカ等の工場においてゲタ材４１があらかじめハイユニット１０Ｂに固定される。これにより、建物の施工現場における作業負担を軽減できるようになっている。追加階段４２については、建物の施工現場にて後付け固定される。
【００６０】
また、図７（ｂ）では、階段ユニット２０が、標準ユニット１０Ａとハイユニット１０Ｂとの室内高さの差（ハイユニット１０Ｂにおいて階段ユニット２０の不足段数分の高さ）だけ１階部分の床面から浮かした状態で建物ユニット１０側に固定されるとともに、同階段ユニット２０の上り口となる位置に、不足段数を補うための追加階段５１が固定されている。追加階段５１の上面には１段分の踏板５１ａが取り付けられている。なおこの場合、階段ユニット２０の下方には、その荷重を支えるためのゲタ材等が設置されていない。図７（ｂ）構成においても、不足段数の追加が容易に実現できる。また、階段ユニット２０の固定は住宅メーカ等の工場において行われる。これにより、建物の施工現場における作業負担を軽減できる。追加階段５１については、建物の施工現場にて後付け固定される。
【００６１】
なお、間仕切り壁２５があらかじめ建物ユニット側に固定される構成にあっては、この間仕切り壁２５に対して踏板２１等を固定することで、階段ユニット２０を床面から浮かして設置することが可能となる。
【００６２】
上記実施形態では、階段ユニット２０をハイユニット１０Ｂに設置する場合において、標準ユニット１０Ａとハイユニット１０Ｂとの室内高さの差（ハイユニット１０Ｂにおいて階段ユニット２０の不足段数分の高さ）を階段の１段分とし、その１段分の踏板を底上げユニット３０等により設置（追加）する構成としたが、これを変更し、２段以上の踏板を設置（追加）する構成としてもよい。
【００６３】
上記実施形態では、ハイユニット１０Ｂに組み付けられる階段ユニット２０を、平面視形状が建物ユニット１０の妻面の横方向寸法（短辺寸法）と同じ幅を有する正方形状をなす構成であるとしたが、これを変更し、上記構成以外の階段ユニット２０（平面視形状が正方形状をなすものでない階段ユニット）を採用することも可能である。本構成においても、上述のとおり階段ユニットの下方に底上げユニット３０やゲタ材４１を設ける構成、或いは階段ユニット２０で浮かした状態で固定する構成を採用することで、ハイユニット１０Ｂにおいて、標準ユニット１０Ａと共通の階段ユニット２０を用いつつ丁度の段数（高さ）の階段が設置できる。
【図面の簡単な説明】
【００６４】
【図１】（ａ）は階段ユニットの平面図、（ｂ）は階段ユニットの側面図。
【図２】建物ユニットに対する階段ユニットの設置状態を示す平面図。
【図３】ユニット式建物の一階部分における建物ユニットの配置を示す平面図。
【図４】建物ユニットの構成を示す斜視図。
【図５】建物ユニットに階段ユニットを設置した場合の施工例を示す図。
【図６】底上げユニットの構成を示す斜視図。
【図７】別の実施形態においてハイユニットに階段ユニットを設置した場合の施工例を示す図。
【符号の説明】
【００６５】
１０…建物ユニット、１０Ａ…標準ユニット、１０Ｂ…ハイユニット、１１…柱、１２…天井大梁、１３…床大梁、２０…階段ユニット、２１…踏板、２３…蹴込み板、２５…間仕切り壁、３０…底上げユニット、３１…ユニット本体、３１ｃ…開口部、３２，３３…引き出し、３２ｂ…補助ステップ、３２ｃ…補助踏板、４１…ゲタ材、４２…追加階段、５１…追加階段。
【図１】
2008196136.tif 000003
【図２】
2008196136.tif 000004
【図３】
2008196136.tif 000005
【図４】
2008196136.tif 000006
【図５】
2008196136.tif 000007
【図６】
2008196136.tif 000008
【図７】
2008196136.tif 000009